(57)【特許請求の範囲】
【請求項１】
フィルタマットを収容し、出口側を薄層板グリッドでカバーされて組付け壁の開口内に装嵌されたフィルタケースを備えたフィルタ装置において、フィルタケース（１０，１０′）の表面が導電性であり、かつ導電性の接点枠（２３）によって組付けプレート（２７）の開口（２６）内に装嵌されており、しかも前記接点枠（２３）が複数の部位で前記フィルタケース（１０，１０′）及び前記組付けプレート（２７）の開口（２６）と導電接続しており、かつ前記フィルタケース（１０）内に導電性の遮蔽グリッド（２０）が装嵌されているか、又はフィルタケース（１０′）と、該フィルタケース（１０′）に結合可能なファン（１５）との間に導電性の遮蔽グリッド（２０）が配置されていることを特徴とする、フィルタケース、フィルタマット及び薄層板グリッドを備えたフィルタ装置。
【請求項２】
フィルタケース（１０，１０′）がプラスチックから成り、かつ導電層を蒸着されている、請求項１記載のフィルタ装置。
【請求項３】
フィルタケース（１０，１０′）が出口側に受容部（１１，１１′）を形成し、該受容部内に、フィルタマット（２１）と遮蔽グリッド（２０）が収容されている、請求項１又は２記載のフィルタ装置。
【請求項４】
フィルタケース（１０，１０′）が、複数の取付け孔（１３）を穿設した全周にわたる固定フランジを有し、かつ複数本のねじ（１４）によって接点枠（２３）の固定フランジを介して組付けプレート（２７）とねじ締結されている、請求項１から３までのいずれか１項記載のフィルタ装置。
【請求項５】
組付けプレート（２７）が接点枠（２３）の固定フランジの領域に、複数のねじ締結孔（２５）又は固定孔を穿設した接点接続面（２４）を備え、該接点接続面が前記組付けプレートの開口（２６）をめぐって配置されている、請求項４記載のフィルタ装置。
【請求項６】
フィルタケース（１０）の入口側が粗目メッシュの保持グリッド（１２）によってカバーされており、かつ該保持グリッドが、フィルタケース内に装嵌された遮蔽グリッド（２０）とフィルタマット（２１）とを保持している、請求項１から５までのいずれか１項記載のフィルタ装置。
【請求項７】
保持グリッド（１２）がフィルタケース（１０）と一体に形成されている、請求項６記載のフィルタ装置。
【請求項８】
ファン（１５）の入口側が保護グリッド（１８）によってカバーされている、請求項１から７までのいずれか１項記載のフィルタ装置。
【請求項９】
接点枠（２３）が多数の接点ばねでもって組付けプレート（２７）の開口（２６）内に侵入しており、前記接点ばねは斜向配列され、かつ該接点ばねの一方のエッジが前記開口との接点部位を形成し、また接点ばねの他方のエッジがフィルタケース（１０，１０′）との接点部位を形成している、請求項１から８までのいずれか１項記載のフィルタ装置。
【請求項１０】
ファン（１５）が、接点枠（２３）と組付けプレート（２７）の開口（２６）とを通って張出している、請求項１から９までのいずれか１項記載のフィルタ装置。
【発明の詳細な説明】
技術分野：
本発明は、フィルタマットを収容し、出口側を薄層板グリッドでカバーされて組付け壁の開口内に装嵌されたフィルタケースを備えたフィルタ装置に関する。
背景技術：
前記形式の公知のフィルタ装置、例えばドイツ連邦共和国特許第４３１２６６４号明細書に基づいて公知のフィルタ装置は、ファンを装備しているか、それとも装備していないかの如何を問わず、構造が実質的に等しいという利点を有している。だがファン装備の場合もファン無装備の場合も高周波（ＨＦ）遮蔽作用が従来技術では与えられていない。しかしながら多くの使用例において、この高周波遮蔽作用が必要であることは、敏感で故障発生率の高い電子機器における使用を想起すれば自ずから明らかである。
発明の開示：
そこで本発明の課題は、構造に実質的な改変を施すことなしに冒頭で述べた形式のフィルタ装置を高周波密に構成することである。
前記課題を解決するための本発明の構成手段は、フィルタケースの表面が導電性であり、かつ導電性の接点枠によって組付けプレートの開口内に装嵌されており、しかも前記接点枠が複数の部位で前記フィルタケース及び前記組付けプレートの開口と導電接続しており、かつ前記フィルタケース内に導電性の遮蔽グリッドが装嵌されているか、又はフィルタケースと、該フィルタケースに結合可能なファンとの間に導電性の遮蔽グリッドが配置されている点にある。
フィルタ装置の部材の設計上の構成は事実上変更を加えられることはない。これは、フィルタケース、遮蔽グリッド及び接点枠のような特定の部材のための表面構成と材料選択のみによって得られる。ファンを使用する場合にはフィルタケースだけが変更される。
フィルタケースの導電性の表面は、本発明の構成によれば導電薄膜の蒸着処理によって得られる。
いかなる場合にもフィルタケースは、出口側にフィルタマット及び遮蔽グリッド用の受容部を形成しかつ薄層板グリッドによってカバーされている。
組付けのために本発明の構成では、フィルタケースは、複数の固定孔を穿設した全周にわたる固定フランジを有し、かつ複数本のねじによって接点枠の固定フランジを介して組付けプレートの接点接続面とねじ締結されている。
接点枠と組付けプレートとの間の接点接続は、組付けプレートが接点枠の固定フランジの領域に、複数のねじ締結孔又は固定孔を穿設した接点接続面を備え、該接点接続面が前記組付けプレートの開口をめぐって配置されていることによって、改善される。
本発明の実施形態ではフィルタケースの入口側が粗目メッシュの保持グリッドによってカバーされており、かつ該保持グリッドは、フィルタケース内に装嵌された遮蔽グリッドとフィルタマットとを保持している。この場合、保持グリッドはフィルタケースと一体に形成されているのが有利である。
フィルタ装置がファンを装備している場合には、ファンはフィルタケースの入口側とねじ締結されており、かつファンの入口側は保護グリッドによってカバーされている。
装嵌されたフィルタケースと組付けプレートが優れた接点接続を得るように接点枠を構成するために、接点枠は多数の接点ばねでもって組付けプレートの開口内に侵入しており、前記接点ばねは斜向配列され、かつ該接点ばねの一方のエッジが前記開口との接点部位を形成し、また接点ばねの他方のエッジはフィルタケースとの接点部位を形成している。
ファンを使用する場合には高周波遮蔽作用は、遮蔽グリッドをフィルタケースとファンとの間に配置しておくことによっても得られる。
フィルタケースと結合されたファンは、接点枠と組付けプレートの開口とを通って張出している。
【図面の簡単な説明】
図１はファンを装備していないフィルタ装置の分解斜視図である。
図２はファンを装備したフィルタ装置の分解斜視図である。
発明を実施するための最良の形態：
次に図面に基づいて本発明の実施例を詳説する。
図１に示したように、組付けプレート２７例えば配電盤キャビネットの機器壁は開口２６を有し、該開口は、ねじ締結孔２５又は固定孔を有する接点接続面２４によって包囲されている。開口２６内には接点枠２３が装嵌され、該接点枠は導電性材料から成り、かつ、フィルタケース１０が複数本のねじ１４によって該フィルタケースの固定フランジの固定孔１３を介してねじ締結孔２５とねじ締結される場合に、固定フランジを介して前記接点接続面２４と導電接続することができる。フィルタケース１０はプラスチックから成り、かつその表面は蒸着処理によって導電性薄膜を有しているので、フィルタケース１０と接点枠２３とは互いに導電接続されている。接点枠２３は多数の斜向配列された接点ばねでもって開口２６内に侵入しており、前記接点ばねの一方のエッジは開口２６との接点部位を形成し、また前記接点ばねの他方のエッジはフィルタケース１０の挿入段部との接点部位を形成している。
接点枠２３は導電性材料から成っている。しかし該接点枠はプラスチックから成り、かつ該プラスチックに導電性薄膜の蒸着処理が施されていてもよい。
フィルタケース１０は出口側に受容部１１を形成し、該受容部内には遮蔽グリッド２０とフィルタマット２１が順次装嵌される。前記の遮蔽グリッド２０とフィルタマット２１は共に１つの保持グリッド１２によって保持され、該保持グリッドは粗目メッシュをもって、かつ殊に有利にはフィルタケース１０と一体に形成されている。公知のようにフィルタ装置の出口側は薄層板グリッド２２によってカバーされている。高周波遮蔽作用を助成する接点枠２３のための材料としては本発明の実施形態によれば、銅−ベリリウムが使用される。従って組付けプレート２７内の開口２６は高周波密にされ、つまり開口２６内のフィルタ装置は組付けプレート２７寄りで高周波を遮蔽されている。
フィルタ装置内にファン１５が組込まれている場合には、フィルタケース１０′とその受容部１１′だけが異なった形状に成形されているにすぎない。フィルタケース１０′の出口側には矢張りフィルタマット２１が装嵌され、かつ薄層板グリッド２２がカバーとして使用されている。開口２６を有する組付けプレート２７及びねじ締結孔２５を有する接点接続面２４には変わりはない。ねじ１４による組付けプレート２７におけるフィルタケース１０′の固定も変わりはない。フィルタケース１０′の入口側には遮蔽グリッド２０を介してファン１５がねじ締結されており、その場合ねじ１７が、ファン１５の固定フランジのねじ締結孔１６に螺入される。ファン１５は接点枠２３と組付けプレート２７の開口２６を通って張出している。接点枠２３、遮蔽グリッド２０及び、導電性表面に有するフィルタケース１０′は開口２６をやはり高周波密に閉鎖している。遮蔽グリッド２０は、図１に示したフィルタ装置の保持グリッド１２よりも微細なメッシュを有し、かつ又、ファン１５の出口側と結合された保護グリッド１８よりも微細なメッシュを有している。該保護グリッド１８はねじ１９によってファン１５とねじ締結されている。
接点接続面２４は組付けプレート２７面に被着されているが、しかし又、組付けプレート２７とは別体の部材として形成し、該部材を組付けプレート２７の開口２６内に装嵌して該組付けプレートと導電接続するように構成することも可能である。フィルタケース１０；１０′の表面並びにプラスチック製接点枠２３の表面の導電性は、薄膜蒸着処理によるような別の方式で得ることもできる。
また導電性の遮蔽グリッド２０もプラスチック製であって導電性表面を有することができる。
図１に示したファン無装備のフィルタ装置と図２に示したファンを装備したフィルタ装置との基本構造は実質的に等しく維持されている。
組付けプレート２７、接点枠２３及びフィルタケース１０；１０′は遮蔽グリッド２０と導電接続されておりかつ開口２６を導電被覆して遮蔽しているので、組付けプレート２７の開口２６の完全な高周波遮蔽作用が常時得られる。
【図１】
0003717522.tif 000002
【図２】
0003717522.tif 000003